(57)【要約】【課題】  いずれかの光源に不具合が生じても画像の読取りが可能な画像読取装置を提供する。【解決手段】  左右ＬＥＤ判定値が存在する場合には（Ｓ５：YES）、画像読取装置１０は、まず、ＬＣＤ１１３の画面に光源２８，２９に異常が生じている旨を表示する（Ｓ６）。そして、左右ＬＥＤ判定値に基づいて、原稿をイメージセンサ１２に対して不具合が生じていない光源（２８または２９）の側へ寄せるメッセージＧＤをＬＣＤ１１３の画面に表示する（Ｓ７）。【選択図】        図４
2007201952.tif 000002
【特許請求の範囲】
【請求項１】
主走査方向の各端部に配された光源からの光を導光手段により主走査方向に拡散させて被読取物に照射し、該被読取物からの反射光を主走査方向に配列した受光素子を有する読取手段により読取る画像読取装置であって、
前記光源の点灯状態を検出する検出手段と、
前記検出手段が一方の光源の点灯状態に不具合が生じたことを検出したことを条件に、他方の光源側を基準として前記読取手段を駆動する制御手段と、
を備えることを特徴とする画像読取装置。
【請求項２】
前記読取手段は、前記受光素子の任意の数を１組とした複数の組にブロック分けされており、
前記制御手段は、前記読取手段の各ブロックを並列に駆動可能とされてなるとともに、前記一方の光源の点灯状態に不具合が生じたときに、その光源側のブロックに駆動信号を供給しない請求項１に記載の画像読取装置。
【請求項３】
前記一方の光源の点灯状態に不具合が生じたときに、他方の光源側を基準として被読取物を載置するように報知する報知手段を備える請求項１または２に記載の画像読取装置。
【発明の詳細な説明】
【技術分野】
【０００１】
本発明は、画像読取装置に関する。
【背景技術】
【０００２】
従来、ファクシミリやコピー機等に搭載される読取装置として、スタート信号及びクロックパルス信号に従い画像読取動作を行う密着型イメージセンサ（ＣＩＳ：Contact Image Sensor）を用いたものが知られている。
【０００３】
【特許文献１】特開２００２−３２００７０号公報
【特許文献２】特開平７−１９３６７５号公報
【特許文献３】特開平１１−２１５３０２号公報
【特許文献４】特開２００４−６４４０６号公報
【発明の開示】
【発明が解決しようとする課題】
【０００４】
密着型イメージセンサでは、図７（Ａ）の概略図に示すように、端部にＬＥＤ等の光源が設けられたライトガイドが光を主走査方向に拡散させつつ原稿等の照射対象に照射し、主走査方向に沿って配置されたイメージセンサがその反射光を受光する。特に、Ａ３サイズ用などの読取り領域の長いイメージセンサの場合には、読取りに十分な光量を確保するべく、ライトガイドの両端にＬＥＤが設けられることがある。
【０００５】
ところで、図７（Ｂ）に示すように、白色の照射対象に光を照射した際の出力信号の電圧レベル（以下、白レベルという）は、各端部に設けられたＬＥＤ毎の寄与を表すと、ＬＥＤの設置位置から遠ざかるに連れて徐々に低下している。そのため、いずれかのＬＥＤの点灯状態に不具合が生じると、残されたＬＥＤでは画像の読取りに十分な光量を確保できなくなってしまうという問題がある。
【０００６】
本発明は、上記問題を鑑みて為されたものであり、いずれかの光源に不具合が生じても画像の読取りが可能な画像読取装置を提供することを目的とする。
【課題を解決するための手段及び発明の効果】
【０００７】
上記課題を解決するため、本発明の画像読取装置は、
主走査方向の各端部に配された光源からの光を導光手段により主走査方向に拡散させて被読取物に照射し、該被読取物からの反射光を主走査方向に配列した受光素子を有する読取手段により読取る画像読取装置であって、
光源の点灯状態を検出する検出手段と、
検出手段が一方の光源の点灯状態に不具合が生じたことを検出したことを条件に、他方の光源側を基準として読取手段を駆動する制御手段と、
を備えることを特徴とする。
【０００８】
これによれば、一方の光源の点灯状態に不具合が生じた場合であっても、読取手段において他方の光源側を基準として読取りを行うことで、不具合が生じていない光源の光量を有効に活用して読取りを行うことができる。
【０００９】
ここで、光源における点灯状態の不具合とは、光源が点灯しなくなる場合のみならず、光源による光量が所定量に対して不足する場合も含むものとする。
【００１０】
また、本発明の画像読取装置において、
読取手段は、受光素子の任意の数を１組とした複数の組にブロック分けされており、
制御手段は、読取手段の各ブロックを並列に駆動可能とされてなるとともに、一方の光源の点灯状態に不具合が生じたときに、その光源側のブロックに駆動信号を供給しない。
【００１１】
これによれば、読取手段をブロック単位で駆動しているので、点灯状態に不具合が生じた光源側のブロックに駆動信号を供給しないようにすることで、読取りを迅速に行うことができる。
【００１２】
また、本発明の画像読取装置は、
一方の光源の点灯状態に不具合が生じたときに、他方の光源側を基準として被読取物を載置するように報知する報知手段を備える。
【００１３】
これによれば、点灯状態に不具合が生じていない光源側を基準として被読取物を載置することを使用者に促すことで、不具合が生じていない光源の光量をより確実に活用させることができる。
【発明を実施するための最良の形態】
【００１４】
以下、本発明の実施形態を、図面を参照しながら説明する。
【００１５】
（１）画像読取装置の構成
図１は、画像読取装置１０の断面図である。画像読取装置１０は、フラットベッド機構（ＦＢ：Flat Bed）及び自動給紙機構（ＡＤＦ：Automatic Document Feeder）の双方を備えたタイプのものであり、この画像読取装置１０自体も、フラットベッド部１０ａに対してカバー部１０ｂを開閉可能に取り付けてなるクラムシェル構造となっている。
【００１６】
そして、この画像読取装置１０において、フラットベッド部１０ａには、密着型イメージセンサ（ＣＩＳ：Contact Image Sensor；読取手段）１２やプラテンガラス１４等が設けられており、カバー部１０ｂには、原稿供給トレイ１６，原稿搬送装置１８，原稿搬出トレイ２０等が設けられている。本実施形態において、イメージセンサ１２は、ＭＯＳ型のイメージセンサで構成されているが、これに限らず、ＣＣＤ型のイメージセンサであってもよい。
【００１７】
イメージセンサ１２は、ライトガイド（導光手段）２６から読取対象位置に存在する原稿（被読取物）に対して光を照射し、原稿からの反射光をセルフォックレンズ２４によってライン状に配列した受光素子を有する受光部２２に結像することで画像を読取るように構成されている。
【００１８】
また、イメージセンサ１２は、図示しない駆動機構により図１における左右方向に駆動されるようになっており、実際に原稿を読取る際には、受光部２２が読取位置の真下となる位置へ移動する。
【００１９】
図２（Ａ）は、ライトガイド２６の概略図である。ライトガイド２６は、主走査方向に延びた柱形状を為しており、その両方の端部にはＬＥＤからなる光源２８，２９が設けられている。ライトガイド２６は、光源２８，２９からの光ＬＴを主走査方向に拡散させつつ、図１に示すように照射対象である原稿に照射する。
【００２０】
光源２８は、光の三原色である赤（Ｒ）・緑（Ｇ）・青（Ｂ）の３色のＬＥＤ２８R,G,Bを組み合わせたものとして構成されている。図２（Ｂ）に示すように、これらのＬＥＤ２８R,G,Bは、それぞれＦＥＴ等のスイッチング素子SW_R,G,Bに接続されており、後述するＡＳＩＣ１０５から受ける制御信号PWM_R,G,Bによって各々独立に点灯させることが可能である。また、ＬＥＤ２８R,G,Bが発する光の光量は、制御信号PWM_R,G,Bのパルス幅を変化させることにより、それぞれ調整することができる。なお、光源２９も同様の構成であるので、説明を省略する。
【００２１】
次に、画像読取装置１０の電気的構成について説明する。図３は、画像読取装置１０の電気的構成の概略を表すブロック図である。画像読取装置１０は、原稿の画像を読取るイメージセンサ１２と、イメージセンサ１２から得られる画素毎の出力信号をデジタルデータとしての画素データに変換するアナログフロントエンド（ＡＦＥ）９と、ＡＦＥ９からの画素データに対して各種処理を行うとともにイメージセンサ１２及びＡＦＥ９の制御を行うＡＳＩＣ（Application Specific Integrated Circuit）１０５と、を備えている。
【００２２】
また、ＡＳＩＣ１０５には、画像読取装置１０を統括制御するＣＰＵ１０１と、ＣＰＵ１０１が実行するプログラム及びそれに必要なデータを記憶しているＲＯＭ１０２と、ＣＰＵ１０１がプログラムを実行する際に作業領域として利用され、ＡＳＩＣ１０５において各種処理された画素データを一旦記憶するＲＡＭ１０３と、がバス１０４を介して接続されている。
【００２３】
また、ＡＳＩＣ１０５には、装置外面の操作パネル２に設けられた操作キー１１１およびＬＣＤ（Liquid Crystal Display）１１３が、それぞれ、操作キー１１１の押下を検出して所定のコード信号を出力するパネルゲートアレイ１１２およびＬＣＤ１１３の表示制御を行うＬＣＤコントローラ１１４を介して接続されている。なお、本実施形態では、ＬＣＤ１１３が本発明の報知手段に相当する。
【００２４】
画像読取装置１０は、イメージセンサ１２を用いて原稿から画像を読取り、各チャンネル（本実施形態ではch１，ch２，ch３）から出力される出力信号、即ちイメージセンサ１２を構成する各chの読取デバイス６，７，８（詳細は後述）からの出力信号をＡＦＥ９に入力する。このように、イメージセンサ（出力手段）１２は、受光素子の任意の数を１組とする複数のチャンネルｃｈ（ブロック）に分けられており、領域毎に信号を出力する。
【００２５】
イメージセンサ１２は、ch１読取デバイス６と、ch２読取デバイス７と、ch３読取デバイス８と、を備え、各読取デバイス６，７，８はいずれも複数の受光素子を備えている。各読取デバイス６，７，８が備える複数の受光素子は、主走査方向に一次元配列したラインセンサ６ａ，７ａ，８ａとしてそれぞれ構成されている。このように配列したラインセンサ６ａ，７ａ，８ａが、上述の受光部２２に相当する。
【００２６】
イメージセンサ１２は、ＡＳＩＣ１０５から出力されるスタート信号ＳＩによってその動作を開始し、同じくＡＳＩＣ１０５から出力される読取基準クロックＣＬＫに基づいて、各chの読取デバイス６，７，８がそれぞれ主走査方向配列順に出力信号を出力する。以下、読取デバイス６，７，８の具体的な動作について説明する。
【００２７】
ch１読取デバイス６は、Ａ４幅で１２００ｄｐｉを読取るため、０〜３３７３までの３３７４個の受光素子が主走査方向に一次元配列したラインセンサ６ａと、各受光素子とバッファアンプ６ｄとの間に各々設けられたスイッチ６ｂと、これら各スイッチ６ｂを主走査方向配列順に順次オンするためのシフトレジスタ６ｃと、を備える。各スイッチ６ｂは、具体的にはＭＯＳトランジスタ等の半導体スイッチング素子にて構成されたものである。
【００２８】
シフトレジスタ６ｃには、スタート信号ＳＩ及び読取基準クロックＣＬＫが入力され、読取基準クロックＣＬＫに基づいて、各スイッチ６ｂを主走査方向配列順に順次オンするための信号を出力する。つまり、まず最初の受光素子（０）に対応したスイッチ６ｂがオンされることによってその出力信号がバッファアンプ６ｄを介してＡＦＥ９へ入力され、続いて次の受光素子（１）に対応したスイッチ６ｂがオンされることによってその出力信号がバッファアンプ６ｄを介してＡＦＥ９へ入力される。これが、最後の受光素子（３３７３）に対応したスイッチ６ｂがオンされるまで順次繰り返される。
【００２９】
また、ch２読取デバイス７もch１読取デバイス６と同様に、３３７４〜６７４７までの３３７４個の受光素子が主走査方向に一次元配列したラインセンサ７ａと、各受光素子とパッファアンプ７ｄとの間に各々設けられたスイッチ７ｂと、これら各スイッチ７ｂを、主走査方向配列順に順次オンするためのシフトレジスタ７ｃと、を備える。また、ch３読取デバイス８もch１読取デバイス６と同様に、６７４８〜１０１２１までの３３７４個の受光素子が主走査方向に一次元配列したラインセンサ８ａと、各受光素子とバッファアンプ８ｄとの間に各々設けられたスイッチ８ｂと、これら各スイッチ８ｂを、主走査方向配列順に順次オンするためのシフトレジスタ８ｃと、を備える。
【００３０】
ch２読取デバイス７の各スイッチ７ｂもch３読取デバイス８の各スイッチ８ｂもch１読取デバイス６の各スイッチ６ｂと同様にＭＯＳトランジスタ等の半導体スイッチング素子にて構成されたものである。これらのch２読取デバイス７及びch３読取デバイス８についても、ch１読取デバイス６と同様に動作するため、ここではその説明を省略する。
【００３１】
ＡＦＥ９は、内部構成を図示しないが、３つのチャンネルch１〜３に対応したオフセット調整回路（ＯＦＳ）およびアナログアンプと、それぞれのアナログアンプからの出力信号のいずれかを順次出力するマルチプレクサ（ＭＵＸ）と、アナログ信号として入力された出力信号をデジタルデータとしての画素データに変換してＡＳＩＣ１０５に入力するアナログデジタル変換器（ＡＤＣ）と、を備えている。
【００３２】
ＡＳＩＣ１０５は、所定のタイミングに基づいてイメージセンサ１２やＡＦＥ９を制御する機能、読取った画素データをＲＡＭ１０３に読み書きする機能、読取った画素データに対して各種画像処理を行う機能などを有する。これにより、ＡＳＩＣ１０５は、本発明の制御手段として機能する。
【００３３】
（２）画像読取装置の作動
画像読取装置１０の作動について説明する。図４は、画像読取装置１０が原稿から画像を読取る際に行う処理（読取り処理）の流れを表すフローチャートである。読取り処理において、画像読取装置１０は、まず、ＬＣＤ１１３の画面に読取り中である旨を表示する（Ｓ１）。
【００３４】
次に、画像読取装置１０は、フラットベッド部１０ａの上面裏側に設けられた白色の部材（白部材）の直下位置に、イメージセンサ１２を図示しない駆動機構によって移動させる（Ｓ２）。これは、後述する白レベルを検出するためである。白部材は、読取り位置の近辺にイメージセンサ１２の主走査方向に沿うように設けられている。
【００３５】
次に、画像読取装置１０は、ＡＦＥ９の調整を行う（Ｓ３）。ここでは、ＡＦＥ９に含まれるオフセット調整回路（ＯＦＳ）やアナログアンプに対して、オフセット値やゲイン値（利得値）を設定する。
【００３６】
そして、画像読取装置１０は、ライトガイドの左右（主走査方向の両端）に設けられた光源２８，２９の点灯状態に不具合が生じているか否かを判断する処理を行う（Ｓ４：左右ＬＥＤ異常確認処理）。図５に、左右ＬＥＤ異常確認処理（Ｓ４）のフローチャートを示す。なお、左右ＬＥＤ異常確認処理（Ｓ４）では、各光源２８，２９の各色（ＬＥＤ２８R,G,B、ＬＥＤ２９R,G,B）について確認を行う。
【００３７】
左右ＬＥＤ異常確認処理（Ｓ４）において、画像読取装置１０は、まず、オフセット値やゲイン値などの各種設定値の初期値を入力し（Ｓ４１）、次に、光源２８，２９の点灯状態を確認するための設定を行う（Ｓ４２）。ここで、点灯状態の確認は、各光源（ＬＥＤ２８R,G,B、ＬＥＤ２９R,G,B）が発する光の光量に基づいて行うことから、上記設定では、各光源を動作する制御信号PWM_R,G,Bのパルス幅を最大にする。
【００３８】
光源２８，２９の点灯状態に不具合が生じているか否かは、上記設定により光源２８，２９（ＬＥＤ２８R,G,B、ＬＥＤ２９R,G,B）をそれぞれ点灯させて、その光を白部材に対して照射した際のイメージセンサ１２からの出力信号の電圧レベル（白レベル）の最大値が、所定値（本実施形態では、通常時の白レベルの２５％程度）以下である場合を異常、所定値を超える場合を正常と判断する（Ｓ４３）。
【００３９】
そのため、上記設定では、所定値が、アナログデジタル変換器が変換可能な電圧レベルの上限（Ref Ｈ）となるように、ＡＦＥ９におけるアナログアンプのゲイン値を定める。すなわち、所定値が通常時の白レベルの２５％程度である場合には、アナログアンプのゲイン値を通常時のゲイン値の４倍程度に設定し、白レベルが所定値を超えるとアナログデジタル変換器に入力される電圧がRef
Ｈを超えるようにする。そして、Ref Ｈを超える画素（オーバーフロー画素）が存在するか否かで、光源２８，２９（ＬＥＤ２８R,G,B、ＬＥＤ２９R,G,B）が正常であるか否かを判断する。
【００４０】
以上のようにして、読取手段であるイメージセンサ１２を、光源２８，２９の点灯状態を検出する検出手段としても機能させることができる。また、これに限らず、例えば、光量を検知する手段を別に設けても良いし、ＬＥＤに流れる電流値をモニタする手段を設けて、この電流値から点灯状態を判断するようにしても良い。
【００４１】
そして、いずれかの光源２８，２９（ＬＥＤ２８R,G,B、ＬＥＤ２９R,G,B）に不具合が生じていると判断された場合、すなわち白レベルが所定値（通常時の白レベルの２５％程度）を下回っていると判断された場合（Ｓ４３：NO）、どちらの光源に不具合が生じたかについての左右ＬＥＤ判定値をＲＡＭ１０３へ一時的に記憶する（Ｓ４４）。その後、左右ＬＥＤ判定値などの各調整値を出力して、リターンする。なお、いずれかの光源２８，２９に不具合が生じていると判断された場合、以後のステップでは、不具合が生じている光源を点灯させないように、その光源には制御信号PWM_R,G,Bを供給しないようにしてもよい。
【００４２】
図４のフローチャートに戻り、左右ＬＥＤ判定値が存在する場合には（Ｓ５：YES）、画像読取装置１０は、まず、ＬＣＤ１１３の画面に光源２８，２９に異常が生じている旨を表示する（Ｓ６）。そして、左右ＬＥＤ判定値に基づいて、図６に示すように、原稿をイメージセンサ１２に対して不具合が生じていない光源（２８または２９）の側へ寄せるメッセージＧＤをＬＣＤ１１３の画面に表示する（Ｓ７）。
【００４３】
図６は、画像読取装置１０のフラットベッド部１０ａを上側から見た図である。イメージセンサ１２は、Ａ３サイズ原稿の読取りが可能なタイプとして構成されている。イメージセンサ１２は、主走査方向の長さがＡ３サイズ原稿の短手幅と同程度とされ、通常はプラテンガラス１４の位置よりも外側に退避しており、図示しない駆動機構により副走査方向へ搬送されて原稿の読取りを行う。
【００４４】
イメージセンサ１２の主走査方向の幅（原稿の読取りに有効な幅；本実施形態ではＡ３サイズの短手幅）よりも同方向の幅が狭い原稿（本実施形態ではＡ４サイズ）を読取る場合、通常時はイメージセンサ１２に対して中央の領域が読取り範囲とされるが、例えば、右側の光源２９に不具合が生じていると判断されると、ＬＣＤ１１３の画面には、不具合が生じていない左側の光源２８の側（すなわち、ＬＣＤ１１３に対して手前側）に原稿を寄せるようにメッセージＧＤが表示される。
【００４５】
ここで、ＬＣＤ１１３は、主走査方向の一方の側に設けられており、メッセージＧＤは、当該ＬＣＤ１１３に対して原稿を手前側に寄せる旨の表示か奥側に寄せる旨の表示とされる。メッセージＧＤは、例えば「Ａ４以下の原稿は、手前側を基準にして載置してください。」といったものとすることができる。また、これに限らず、プラテンガラス１４の中での原稿の推奨位置を表す図柄をＬＣＤ１１３の画面に表示しても良い。また、「奥側の光源が点灯していません。至急、サービスマンに連絡してください。」といった装置の故障を報知するものであってもよい。
【００４６】
また、イメージセンサ１２が退避している側のプラテンガラス１４の縁には、原稿を載置する際の目安となる原稿位置マークＭＫが設けられている。例えば、光源２８側（すなわち、ＬＣＤ１１３に対して手前側）に原稿を寄せる場合には、プラテンガラス１４の光源２８側の縁まで原稿を寄せることが好ましいため、光源２８側の縁まで原稿を寄せたときの原稿の両端に当たる位置に原稿位置マークＭＫが設けられている。光源２９側も同様である。
【００４７】
以上のように、いずれかの光源（２８または２９）の点灯状態に不具合が生じた場合に、原稿をイメージセンサ１２に対して不具合が生じていない光源（２９または２８）の側に寄せるようにユーザに促すことによって、残された光源（２９または２８）からの光を有効に利用して画像を読取ることができる。また、このような処理は、イメージセンサ１２の主走査方向の幅（原稿の読取りに有効な幅；本実施形態ではＡ３サイズの短手幅）よりも同方向の幅が狭い原稿を読取る場合に特に有効である。
【００４８】
画像読取装置１０は、上記のようにメッセージＧＤを表示することで（Ｓ７）、ユーザに原稿を載置し直すことを促す。そして、ユーザが原稿を載置し直すなどして読取再開に係る走査キー１１１を操作すると、画像読取装置１０はそれを検知して（Ｓ８）、以後の読取動作に移る。
【００４９】
左右ＬＥＤ判定値が存在しない場合（Ｓ５：NO）、または、読取再開に係る走査キー１１１の押下を検知した場合（Ｓ８）、画像読取装置１０は、各色の光量調整を行い（Ｓ９）、各色の白レベルおよび黒レベルのデータを読み込み（Ｓ１０）、各色のシェーディングデータを算出する（Ｓ１１）。そして、イメージセンサ１２を図示しない駆動機構により搬送し（Ｓ１２）、読取開始位置に位置させた上で（Ｓ１３）、原稿から画像の読取りを行う（Ｓ１４）。その後、イメージセンサ１２が読取り終了位置まで達して読取りが終わると（Ｓ１５）、イメージセンサ１２を図示しない駆動機構により元の位置へ戻す（Ｓ１６）。以上により読取処理が終了する。
【００５０】
また、Ｓ１４の画像の読取りにおいて、左右ＬＥＤ判定値が存在する場合には、イメージセンサ１２の中で点灯状態に不具合を生じている光源（２８または２９）側に位置する読取デバイス（６または８）に対し、スタート信号ＳＩや読取基準クロックＣＬＫを供給しないようにすることができる。
【００５１】
以上、本発明の実施形態について説明したが、本発明はこれらの形式に限定されるものではなく、これらに具現された発明と同一性の範囲内において適宜変更して実施し得る。例えば、読取る原稿のサイズを操作パネル２に設けられた操作キー１１１から入力するように構成し、原稿の主走査方向の幅がイメージセンサ１２の主走査方向の幅（原稿の読取りに有効な幅；本実施形態ではＡ３サイズの短手幅）よりも狭い場合にのみ、上記のように、不具合の生じていない光源（２８または２９）の側に原稿を寄せる旨の報知を行うようにすることもできる。
【００５２】
（３）参考例
以下、参考例について説明する。なお、主に上述の実施形態と異なる箇所について述べ、重複する箇所については図中に同番号を付して説明を省略する。
【００５３】
（３−１）
第１参考例の画像読取装置は、
端部に設けられた光源２８，２９からの光を主走査方向に拡散させつつ照射対象に照射するライトガイド（導光手段）２６と、
主走査方向に複数配列した読取デバイス６，７，８により構成され、照射対象からの反射光を受光するイメージセンサ（読取手段）１２と、
ライトガイド２６から白色の照射対象に光を照射した際に、いずれかの読取デバイス（６，７，８）から出力信号が出力されない不具合が生じた場合に、不具合が生じていない読取デバイス（６，７，８）の領域にて画像の読取りを行うように報知する報知手段と、
を備えることを主な特徴とする。
ここで、ＡＳＩＣ１０５は報知手段として機能する。
【００５４】
これによると、いずれかの読取デバイス（６，７，８）の動作状態に不具合が生じた場合であっても、不具合が生じていない読取デバイス（６，７，８）を有効に利用して画像を読取ることができる。
【００５５】
具体的には、画像読取装置１０は、図８のフローチャートに示すような処理を行う。なお、Ｓ１ないしＳ３及びＳ８ないしＳ１６のステップは、図４におけるステップと同様であるので、説明を省略する。
【００５６】
画像読取装置１０は、ＡＦＥ調整の後（Ｓ３）、読取デバイス６，７，８に不具合が生じているか否かを確認する（Ｓ４Ａ）。これは、光源２８，２９を点灯させて、その光を白部材に対して照射した際に読取デバイス６，７，８から出力信号が出力されるか否かによって確認することができる。そして、全ての読取デバイス６，７，８から出力信号が出力された場合は、正常であると判断し、これに対し、いずれかの読取デバイス（６，７，８）から出力信号が出力されなかった場合は、異常であると判断する。異常と判断された場合は、どの読取デバイス（６，７，８）に不具合が生じたかについての読取デバイス判定値をＲＡＭ１０３へ一時的に記憶して、次のステップＳ５Ａへ進む。
【００５７】
次に、画像読取装置１０は、ＬＣＤ１１３の画面にイメージセンサ１２に異常が生じている旨を表示する（Ｓ６Ａ）。そして、読取デバイス判定値に基づいて、図９に示すように、不具合が生じていない読取デバイス６，７，８の位置にて画像の読取りを行わせるべく、読取りが有効な領域を割り出して画像１４１，Ｇ１，ＧＤ１を表示する（Ｓ７Ａ）。具体的には、ＬＣＤ１１３の画面には、プラテンガラス１４に対応する画像１４１と、プラテンガラス１４において原稿の読取りに推奨される位置を示す画像Ｇ１と、その位置を説明するメッセージの画像ＧＤ１と、が表示される。なお、本形態では、ＬＣＤ１１３に対して奥側（右側の読取デバイス８）に不具合が生じた場合を示している。
【００５８】
上記のステップＳ７Ａ（読取りが有効な領域を表示するステップ）では、不具合が生じた読取デバイス（６，７，８）の位置に応じて、読取りに有効な領域を割り出す。例えば、図３に示すようにイメージセンサ１２が３つの読取デバイス６，７，８により構成されている場合には、一方の側の読取デバイス（６ or ８）に不具合が生じると、それとは逆側にある２つの読取デバイス（７，８ or ６）の副走査方向の領域（２つのラインセンサを副走査方向に走査したときの領域）を有効領域とする。他方、中央の読取デバイス７に不具合が生じると、読取り不能とする。
【００５９】
なお、上記の参考例は、イメージセンサ１２が３以上の読取デバイスによって構成されている場合も同様に適用することができる。例えば、図１０に示すように、イメージセンサ１２が主走査方向に配列する８個の読取デバイスＤ１〜Ｄ８によって構成されたＡ３サイズの原稿を読取り可能なタイプである場合、いずれかの側から２つ目までのブロック（Ｄ１，Ｄ２，Ｄ７，Ｄ８）に不具合が生じても、その逆側には所定幅（例えばＡ４サイズ）を読取り可能な読取デバイス（少なくとも６個分）が残されているため、これらの副走査方向の領域を有効領域とする。
【００６０】
（３−２）
第２参考例の画像読取装置は、
端部に設けられた光源２８，２９からの光を主走査方向に拡散させつつ照射対象に照射するライトガイド（導光手段）２６と、
主走査方向に沿って設けられ、照射対象からの反射光を受光するイメージセンサ（読取手段）１２と、
ライトガイド２６から白色の照射対象（白部材）に光を照射した際にイメージセンサ１２から出力された出力信号から、イメージセンサ１２において受光状態に不具合が生じている箇所が存在するかどうかを検出する検出手段と、
受光状態に不具合が生じている箇所が存在する場合に、イメージセンサ１２のうち不具合が生じていない領域にて画像の読取りを行うように報知する報知手段と、
を備えることを主な特徴とする。
ここで、ＡＳＩＣ１０５は検出手段および報知手段として機能する。
【００６１】
これによると、例えばゴミの付着などによって、イメージセンサ１２において受光状態に不具合が生じている箇所が存在する場合であっても、不具合が生じていない領域を有効に利用して画像を読取ることができる。
【００６２】
画像読取装置１０は、上述の第１参考例と同様の処理を行う。具体的には、図８のフローチャートにおけるステップＳ４Ａの部分が異なるので、この点について説明を行い、他の部分は説明を省略する。当該ステップでは、図１１に示すように、ライトガイド２６から白部材に光を照射した際にイメージセンサ１２から出力された出力信号の電圧レベル（いわゆる白レベル）において、ゴミの付着などによって白レベルが極端に落ち込んでいる領域ＧＭがある場合に、イメージセンサ１２の受光状態に異常が生じていると判定する。ここで、白レベルが極端に落ち込んでいる領域ＧＭを判断するには、ＡＦＥ９に含まれるオフセット調整回路のオフセット電圧を通常よりも高く設定して、オフセット電圧を下回る画素（アンダーフロー画素）が存在するか否かで判断する。
【００６３】
そして、異常と判断された場合は、どの読取デバイス（６，７，８）に不具合が生じたかについての読取デバイス判定値をＲＡＭ１０３へ一時的に記憶して、次のステップＳ５Ａへ進む。その後の処理は、読取りが有効な領域を割り出して表示する等、上述した通りである。なお、本形態では、白レベルが極端に落ち込んでいる領域ＧＭを有する読取デバイス（６，７，８）を使用しないようにしているが、これに限らず、領域ＧＭを含んだ部分のみを使用しないように構成することもできる。
【図面の簡単な説明】
【００６４】
【図１】画像読取装置の断面構造を概略的に表す図
【図２】ライトガイド及び光源（ＬＥＤ）の説明図
【図３】画像読取装置の電気的構成の概略を表すブロック図
【図４】画像読取装置が行う読取り処理の流れを表すフローチャート
【図５】画像読取装置が行う左右ＬＥＤ異常確認処理の流れを表すフローチャート
【図６】原稿の配置パターンの説明図
【図７】問題点を説明するための図
【図８】第１参考例のフローチャート
【図９】ＬＣＤの画面表示例
【図１０】イメージセンサが３以上の読取デバイスからなる場合の説明図
【図１１】イメージセンサにおいて受光状態に不具合が生じている箇所が存在する場合の説明図
【符号の説明】
【００６５】
６，７，８  読取デバイス
６ａ，７ａ，８ａ  ラインセンサ
６ｃ，７ｃ，８ｃ  シフトレジスタ
９  アナログフロントエンド（ＡＦＥ）
１０  画像読取装置
１２  密着型イメージセンサ（ＣＩＳ：Contact Image Sensor；読取手段・検出手段）
２６  ライトガイド（導光手段）
２２  受光部
２８，２９  光源（ＬＥＤ）
１０５  ＡＳＩＣ（制御手段）
【図１】
2007201952.tif 000003
【図２】
2007201952.tif 000004
【図３】
2007201952.tif 000005
【図４】
2007201952.tif 000006
【図５】
2007201952.tif 000007
【図６】
2007201952.tif 000008
【図７】
2007201952.tif 000009
【図８】
2007201952.tif 000010
【図９】
2007201952.tif 000011
【図１０】
2007201952.tif 000012
【図１１】
2007201952.tif 000013